(57)【要約】【課題】  捺印ミスを犯しにくい印材を提供する。【解決手段】  印材１の材質はメノウ石であり、底面が平らな略楕円形の印面２となっている。指で掴持する部分を含めて印材１の軸方向が上から下に向けて次第に太くなるように全体が山形に形成されており、捺印の際、印材１を掴持した指が下に滑りにくくなっており、この結果、印材１が横に動きにくくなっている。また、印材１の横断面は略楕円形の扁平状に形成してあり、印材１を掴持したときの軸回りの安定性が高くなり、捺印時に印材１が軸回りに回転しにくくなっている。印材１の側壁面３の上部には横方向に貫通した貫通孔４が設けてあり、首紐を通すことができるようになっている。【選択図】        図１
0003134947.tif 000002
【実用新案登録請求の範囲】
【請求項１】
底部に印面を有する印材において、
印材の軸方向の少なくとも指で掴持される部分を上から下に向けて次第に太くなるように形成したこと、
を特徴とする印材。
【請求項２】
横断面を扁平状に形成したこと、
を特徴とする請求項１記載の印材。
【請求項３】
側壁面に１または複数の凹部を設けたこと、
を特徴とする請求項１または２記載の印材。
【請求項４】
側壁面に１または複数の横溝を設けたこと、
を特徴とする請求項１または２記載の印材。
【請求項５】
側壁面に１または複数の孔を設けたこと、
を特徴とする請求項１または２記載の印材。
【請求項６】
側壁面の横方向に貫通孔を設けたこと、
を特徴とする請求項１または２または３または４または５記載の印材。
【考案の詳細な説明】
【技術分野】
【０００１】
本考案は印材に係り、とくに底部に印面を有する印材に関する。
【背景技術】
【０００２】
従来の印材は、象牙、水牛骨、柘、チタン、硬質プラスチック等の材質により、円柱状に形成されるのが一般的であった。印材が硬質であり、滑り易いこと及び形状が円柱状であることから、捺印の際、印材を掴持した指が下方向に滑って印材が横に動き、印影がずれてしまうことがあった。従来、紙面と印面が平行でないことによる捺印ミスの対策として、本体に印盤を傾動自在に取り付けた印材が有るが、本体自体は円柱状であり、指が下方向に滑って印材が動くのを防止することは出来なかった（特許文献１）。
【０００３】
【特許文献１】実願２００４−４８５０号公報
【考案の開示】
【考案が解決しようとする課題】
【０００４】
本考案は上記した従来技術の問題に鑑み、捺印ミスを犯しにくい印材を提供することを、その目的とする。
【課題を解決するための手段】
【０００５】
本考案では、底部に印面を有する印材において、印材の軸方向の少なくとも指で掴持される部分を上から下に向けて次第に太くなるように形成したこと、を特徴としている。
本考案の１つの態様では、横断面を扁平状に形成したこと、を特徴としている。
本考案の他の態様では、側壁面に１または複数の凹部を設けたこと、を特徴としている。
本考案の他の態様では、側壁面に１または複数の横溝を設けたこと、を特徴としている。
本考案の他の態様では、側壁面に１または複数の孔を設けたこと、を特徴としている。
本考案の他の態様では、側壁面の横方向に貫通孔を設けたこと、を特徴としている。
【考案の効果】
【０００６】
本考案によれば、印材の軸方向の少なくとも指で掴持される部分が上から下に向けて次第に太くなるように形成されているため、捺印の際、印材を掴持した指が下方向に滑りにくくなり、印材が横に動いて捺印ミスを犯すのを防止できる。また、横断面を扁平状に形成したことにより、印材を掴持したときの軸回りの安定性が高くなり、捺印時に印材が軸回りに回転して捺印ミスを犯すのを防止できる。
【考案を実施するための最良の形態】
【０００７】
印材を上から下に向けて次第に太くなるなるように山形に形成し、印材を掴持した指が下方向に滑りにくくする。これにより、捺印時に印材が横に動いて捺印ミスを犯すのを防止できる。また、印材の横断面を扁平な楕円形とし、印材を掴持したときの軸回りの安定性を高くし、捺印時に印材が軸回りに動いて捺印ミスを犯すのを防止できる。
【実施例１】
【０００８】
図１は本考案の第１の実施例に係る印材を示す斜視図、図２乃至図５は各々図１に示す印材の正面図、側面図、底面図、横断面図である。
図１〜図５において、印材１の材質はメノウ石であり、底面が平らな略楕円形の印面２となっている。指で掴持する部分を含めて印材１の軸方向が上から下に向けて次第に太くなるように全体が山形に形成されており、捺印の際、印材１を掴持した指が下に滑りにくくなっており、この結果、印材１が横に動きにくくなっている。また、印材１の横断面は図５に示す如く略楕円形の扁平状に形成してあり、印材１を掴持したときの軸回りの安定性が高くなり、捺印時に印材１が軸回りに回転しにくくなる。印材１の側壁面３の上部には水平方向に貫通した貫通孔４が設けてある。
【０００９】
この実施例によれば、印材１の材質が硬く滑り易いメノウ石であるが、印材１の軸方向が上から下に向けて次第に太くなっているので、印材１を掴持した指が下に滑りにくく、捺印時に印材１が横に動いて捺印ミスを犯すのを防止できる。また、印材１の横断面が扁平状に形成してあり、印材１を掴持したときの軸回りの安定性が高く、捺印時に印材１が軸回りに回転して捺印ミスを犯すのを防止できる。貫通孔４に直接首紐を通すか、または貫通孔４に図示しない金具を取り付け、該金具に首紐を通しておけば、未使用時にペンダントとして利用することもできる。なお、図１の実施例では底面を楕円形としたが、図６の如く底面を平らな円形の印面２０としても良い。
【実施例２】
【００１０】
図７は本考案の第２の実施例に係る印材を示す正面図、図８は側面図、図９は底面図、図１０は横断面図である。
第１の実施例では印材の横断面は略楕円形としたが、第２の実施例では印材の横断面は角が丸い長方形状としてある。
図７〜図１０において、印材１Ａの材質はメノウ石であり、底面が平らな略長方形の印面２Ａとなっている。指で掴持する部分を含めて印材１Ａの軸方向が上から下に向けて次第に太くなるように全体が山形に形成されており、かつ側壁面３Ａの両側の指で掴持する部分に凹部５、５が設けてある。これにより、捺印時に印材１Ａを掴持した指が凹部５、５に嵌まって下方により滑りにくくなっている。また、印材１Ａの横断面は図１０に示す如く角の丸い長方形の扁平状に形成してあり、印材１Ａを掴持したときの軸回りの安定性が高くなって捺印時に印材１Ａが軸回りに回転しにくくなっている。印材１Ａの側壁面３Ａの上部には水平方向に貫通した貫通孔４が設けてある。
【００１１】
この実施例によれば、印材１Ａの材質が硬く滑り易いメノウ石であるが、印材１Ａの軸方向が上から下に向けて次第に太くなっていること、かつ側壁面３Ａの両側の指で掴持する部分に凹部５、５が設けてあることにより、捺印時に印材１Ａを掴持した指が凹部５、５に嵌まって下方により滑りにくくなっている。この結果、捺印時に印材１がより横に動きにくくなって、捺印ミスをより犯しにくくなる。また、また、印材１の横断面が略長方形の扁平状に形成してあり、印材１Ａを掴持したときの軸回りの安定性が高く、捺印時に印材１Ａが軸回りに回転して捺印ミスを犯すのを防止できる。印材１Ａの横断面の角が丸いため掴持した指が痛くなることもない。貫通孔４に直接首紐を通すか、または貫通孔４に図示しない金具を取り付け、該金具に首紐を通しておけば、未使用時にペンダントとして利用することもできる。
なお、図１１に示す如く印材１Ａの底面を平らな略正方形の印面２０Ａとしても良い。
【００１２】
本考案は、上記した各実施例、変形例のほかに、印材の横断面と底面を、扁平な略三角形状または略ひし形状としても良い。また、印材の側面の少なくとも指で掴持する部分に１または複数の横溝を刻設したり、１または複数の孔を設けて、指が下方により滑りにくくなるようにしても良い。
また、材質はメノウ石に限らず、象牙、水牛骨、柘、硬質プラスチック、チタン等でもよい。
【産業上の利用可能性】
【００１３】
本考案は、実印、認印、銀行印等の各種の印鑑用であって、印字が篆刻済または未篆刻の印材に利用できる。
【図面の簡単な説明】
【００１４】
【図１】本考案に係る印材の斜視図である（実施例１）。
【図２】図１の正面図である。
【図３】図１の側面図である。
【図４】図１の底面図である。
【図５】図２のＶ−Ｖ´に沿った横断面図である。
【図６】図１の変形例に係る底面図である。
【図７】本考案に係る印材の正面図である（実施例２）。
【図８】図７の側面図である。
【図９】図７の底面図である。
【図１０】図７のＸ−Ｘ´に沿った横断面図である。
【図１１】図７の変形例に係る底面図である。
【符号の説明】
【００１５】
１、１Ａ  印材
２、２Ａ、２０、２０Ａ  印面
３、３Ａ  側壁面
４貫通孔
５  凹部
【図１】
0003134947.tif 000003
【図２】
0003134947.tif 000004
【図３】
0003134947.tif 000005
【図４】
0003134947.tif 000006
【図５】
0003134947.tif 000007
【図６】
0003134947.tif 000008
【図７】
0003134947.tif 000009
【図８】
0003134947.tif 000010
【図９】
0003134947.tif 000011
【図１０】
0003134947.tif 000012
【図１１】
0003134947.tif 000013